(57)【要約】【課題】溶接時の作業性がよく、載置面に安定して載置可能な金属製箱体を提供する。【解決手段】金属製箱体１は、金属板からなる底部１０と、底部１０の外周縁１１から立設した金属板からなる側壁部２０とを有する。底部１０と側壁部２０との境界部分３０は、両者を溶接してなる溶接部３１を含む。溶接部３１は、金属製箱体１における側壁部２０の立設方向下方Ｚ１の表面１０ａに表出している。そして、底部１０における側壁部２０の立設方向下方Ｚ１の端部である下端部１２は、溶接部３１よりも立設方向下方Ｚ１に位置している。【選択図】図１
2020172295.tif 000002
【特許請求の範囲】
【請求項１】
金属板からなる底部と、該底部の外周縁から立設した金属板からなる側壁部とを有する金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有する、金属製箱体。
【請求項２】
上記底部の外周縁は、上記底部の下端部よりも上記側壁部の立設方向上方に位置するフランジ部を有しており、該フランジ部と上記側壁部とが互いに溶接されて上記溶接部を形成している、請求項１に記載の金属製箱体。
【請求項３】
上記フランジ部の厚さは、上記底部の中央部の厚さよりも薄くなっている、請求項２に記載の金属製箱体。
【請求項４】
上記フランジ部は、上記立設方向上方に折れ曲がるとともに、上記底部の平面視における外方に折れ曲がった屈曲部を有する、請求項２に記載の金属製箱体。
【請求項５】
上記下端部は、上記側壁部の立設方向において、上記溶接部よりも０．２〜５．０ｍｍの範囲内で立設方向下方に位置している、請求項１〜４のいずれか一項に記載の金属製箱体。
【請求項６】
上記底部の下端部は、上記立設方向下方に突出してなる突出部からなる、請求項１〜５のいずれか一項に記載の金属製箱体。
【請求項７】
上記底部は、上記側壁部の内周面に当接する内周当接部を有する、請求項１〜６のいずれか一項に記載の金属製箱体。
【発明の詳細な説明】
【技術分野】
【０００１】
本発明は、金属製箱体に関する。
【背景技術】
【０００２】
従来、種々の物品を収容可能な金属製箱体として、プレス機によって金属板を絞り加工して形成された箱体が広く用いられている。しかし、ステンレスやチタンなどの一般的に延性の低い金属材料では、いわゆる深絞り成形を高精度で行うことが困難な場合がある。また、絞り加工では絞り深さに限界があり、この深さの限界を超えて絞り加工を行うと箱体に亀裂が生じてしまうため、深絞り成形では箱体の深さが制限されていた。そこで、特許文献１には、深絞り成形に替えて、金属板を筒状に折り曲げて端部同士を溶接してなる筒状の側壁部と金属板から切り出してなる板状の底部とを用意し、筒状の側壁部の開口端を覆うように底部を溶接して成形された箱体の構成が開示されている。その他の構成として、押し出しや引き抜きで形成した継ぎ目のないパイプ状部材に底部を溶接した構成とすることも考えらえる。これらの構成では、絞り加工を要しないため、箱体の深さが制限されないとともに、肉厚のばらつきが抑えられる。
【先行技術文献】
【特許文献】
【０００３】
【特許文献１】特開２００１−２３６９２９号公報
【発明の概要】
【発明が解決しようとする課題】
【０００４】
しかし、特許文献１に開示の構成や上述のその他の構成において、底部と側壁部の境界部が側周面に現れる場合には、両者を溶接する際に筒状の側周面に沿って溶接装置を周方向に大きく動かしたり、溶接対象となる側壁部及び底部を筒状の側周面に沿って周方向に回転させたりする必要があるため作業性が悪い。一方、底部と側壁部の境界部が底面に現れる場合には、溶接装置を側周面に沿って大きく動かしたり、側壁部及び底部を回転させたりする必要がないため、作業性は向上する。しかしながら、溶接により生じる不揃いな形状の溶接ビードが底面に表出して底部よりも膨らんだ状態となるため、箱体を載置したときに溶接ビードが載置面と干渉して、箱体を載置した際の安定性が低下する。
【０００５】
本発明は、かかる背景に鑑みてなされたものであり、溶接時の作業性がよく、載置面に安定して載置可能な金属製箱体を提供しようとするものである。
【課題を解決するための手段】
【０００６】
本発明の一態様は、金属板からなる底部と、該底部の外周縁から立設した金属板からなる側壁部とを有する金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有する、金属製箱体にある。
【発明の効果】
【０００７】
上記金属製箱体においては、底部とその外周縁から立設した側壁部との境界部分に含まれる溶接部は側壁部の立設方向下方の表面に表出しているが、底部が溶接部よりも立設方向下方に位置する下端部を有しているため、立設方向下方から溶接して溶接部を形成したとしても、溶接部に含まれる不揃いな形状の溶接ビードが底部の下端部から下方に突出することがない。そのため、当該金属製箱体を載置面に載置すると底部の下端部が載置面に当接して、溶接部の溶接ビードが載置面に当接しない。これにより、溶接作業性がよいとともに、金属製箱体を安定して載置することができる。
【０００８】
以上のごとく、本発明によれば、溶接時の作業性がよく、載置面に安定して載置可能な金属製箱体を提供することができる。
【図面の簡単な説明】
【０００９】
【図１】実施例１における、金属製箱体の底面側斜視図である。
【図２】実施例１における、金属製箱体の側面図である。
【図３】実施例１における、溶接前の金属製箱体の底面側分解斜視図である。
【図４】実施例１における、（ａ）溶接前の金属製箱体の断面図、（ｂ）溶接後の金属製箱体の断面図である。
【図５】実施例１における、（ａ）図４（ａ）の一部拡大図、（ｂ）図４（ｂ）の一部拡大図である。
【図６】変形例１における、（ａ）溶接前の金属製箱体の断面図、（ｂ）溶接後の金属製箱体の断面図である。
【図７】変形例２における、（ａ）溶接前の金属製箱体の断面図、（ｂ）溶接後の金属製箱体の断面図である。
【図８】変形例３における、（ａ）溶接前の金属製箱体の断面図、（ｂ）溶接後の金属製箱体の断面図である。
【図９】変形例４における、（ａ）溶接前の金属製箱体の断面図、（ｂ）溶接後の金属製箱体の断面図である。
【図１０】実施例２における、（ａ）溶接前の金属製箱体の断面図、（ｂ）溶接後の金属製箱体の断面図である。
【図１１】変形例５における、（ａ）溶接前の金属製箱体の断面図、（ｂ）溶接後の金属製箱体の断面図である。
【図１２】変形例６における、（ａ）溶接前の金属製箱体の断面図、（ｂ）溶接後の金属製箱体の断面図である。
【図１３】変形例７における、（ａ）溶接前の金属製箱体の断面図、（ｂ）溶接後の金属製箱体の断面図である。
【図１４】変形例８における、（ａ）溶接前の金属製箱体の断面図、（ｂ）溶接後の金属製箱体の断面図である。
【図１５】変形例９における、（ａ）溶接前の金属製箱体の断面図、（ｂ）溶接後の金属製箱体の断面図である。
【図１６】実施例３における、（ａ）金属製箱体の展開体の斜視図、（ｂ）溶接前の金属製箱体の断面図、（ｃ）溶接後の金属製箱体の断面図である。
【発明を実施するための形態】
【００１０】
上記底部の外周縁は、上記底部の下端部よりも上記立設方向上方に位置するフランジ部を有しており、該フランジ部と上記側壁部とが互いに溶接されて上記溶接部を形成していることが好ましい。この場合は、フランジ部を溶接する際のガイドとして利用することができ、溶接の作業性が向上する。
【００１１】
上記フランジ部は、上記底部の中央部よりも薄肉に形成されていることが好ましい。この場合は、フランジ部を底部の下端部よりも立設方向上方に位置させることが容易となり、フランジ部の成形の作業性が向上する。
【００１２】
上記フランジ部は、立設方向上方に折れ曲がるとともに、上記底部の平面視における外方に折れ曲がった屈曲部を有することが好ましい。この場合は、フランジ部を簡易な構成で底部の下端部よりも立設方向上方に位置させることができ、フランジ部の成形性が向上する。
【００１３】
上記下端部は、上記側壁部の立設方向において、上記溶接部よりも０．２〜５．０ｍｍの範囲内で立設方向下方に位置していることが好ましい。この場合は、当該金属製箱体を載置したときに溶接部の溶接ビードが載置面に当接しないとともに、金属製箱体の底部が立設方向に過度に厚くなることを抑制できる。
【００１４】
上記底部の下端部は、上記立設方向下方に突出してなる突出部からなることが好ましい。この場合には、当該金属製箱体を載置面に載置したときに底部の下端部としての突出部が確実に載置面に当接することとなるため、溶接部が載置面に当接することとを確実に防止でき、当該金属製箱体１を載置した際の安定性を一層向上できる。
【００１５】
上記底部は、上記側壁部の内周面に当接する内周当接部を有することが好ましい。この場合には、底部を側壁部に溶接する際に、底部の位置決めが容易となり溶接時の作業性が向上する。
【００１６】
（実施例１）
上記金属製箱体の実施例について、図１〜図５を用いて説明する。
本実施例の金属製箱体１は、図１に示すように、金属板からなる底部１０と、底部１０の外周縁１１から立設した金属板からなる側壁部２０とを有する。
底部１０と側壁部２０との境界部分３０は、両者を溶接してなる溶接部３１を含む。
溶接部３１は、金属製箱体１における側壁部２０の立設方向下方Ｚ１の表面１０ａに表出している。
そして、図２に示すように、底部１０における側壁部２０の立設方向下方Ｚ１の端部である下端部１２は、溶接部３１よりも立設方向下方Ｚ１に位置している。
【００１７】
以下、本実施例の金属製箱体１について、詳述する。
本実施例の金属製箱体１を形成する材料は金属材料であって、金属製箱体１に収容する収容物の性質、金属製箱体１の使用環境、形成材料の成形性などを考慮して適宜選択することができる。例えば、電池のケースとして使用する場合は、耐腐食性や溶接性などを考慮してステンレス鋼、鉄鋼、チタン、チタン合金、アルミニウム、アルミニウム合金などとすることができる。
【００１８】
金属製箱体１の外形形状は、特に限定されず、底部１０の形状を矩形、円、楕円、長方形の短辺を円弧状にした形状、又は矩形の角部に丸みをつけた形状などとすることができる。そして、側壁部２０は底部１０の外周縁に立設させた形状とする。
【００１９】
本例では、金属製箱体１は、図１に示すように、略直方体形状であって、底部１０と側壁部２０を備える。底部１０の反対側は開放されており、開口部４０が形成されている。本例では、図３に示すように、底部１０と側壁部２０とは、互いに別体として成形されたものを溶接して一体化される。底部１０は略平板状をなしており、平面視で矩形となっている。そして、底部１０の面方向のうち底部１０の一辺に平行な方向を幅方向Ｘとし、底部１０の面方向のうち幅方向Ｘに直交する方向を奥行き方向Ｙとする。そして、側壁部２０は底面が四角形の筒状をなしており、底部１０の各辺から側壁部２０が立設されている。側壁部２０の立設方向Ｚは幅方向Ｘと奥行き方向Ｙとに直交する方向である。
【００２０】
本例では、図３に示すように、側壁部２０は、金属板を筒状に折り曲げて端部同士を突き当てた状態で溶接することにより成形される。これにより、側壁溶接部２２が形成される。本例では、側壁溶接部２２は、側壁部２０の角部２３に位置しないように構成されている。そして、側壁部２０の側壁下端部２１は四角形状に開口した下端開口部４１を形成している。
【００２１】
底部１０の外周縁１１には、図３に示すように、フランジ部１３が設けられている。フランジ部１３は底部１０の外周縁１１から底部１０の面方向外方へ突出している。底部１０の外周縁１１にフランジ部１３を形成する方法は特に限定されず、プレス加工、切削加工などとすることができる。そして、図５（ａ）に示すように、底部１０はフランジ部１３が側壁部２０の下端である側壁下端部２１の下端面２１ａに当接するように側壁部２０である側壁下端部２１にあてがわれた状態で、図４（ａ）に示すように、紙面における立設方向Ｚの下側から立設方向上方Ｚ２に向けて矢印Ｌで示すようにレーザを照射して、フランジ部１３と側壁下端部２１とを溶接して溶接部３１が形成されている。レーザを照射する方向は立設方向Ｚに平行な方向に限らず、金属製箱体１の斜め下方の位置からフランジ部１３に向かう方向であってもよい。なお、各図において、レーザを照射する方向は紙面の下方から上方に向かう方向としているが、実際には上下反転させて重力方向の上方から下方に向かう方向とする。また、溶接方法は限定されず、レーザ溶接に替えて、ＴＩＧ溶接などとしてもよい。
【００２２】
図４（ｂ）に示すように、溶接部３１は、金属製箱体１の立設方向下方Ｚ１の表面１０ａに表出している。本例では、境界部分３０の全体が溶接部３１となっている。そして、溶接部３１は溶接ビードをなしており、図１に示すように、底部１０の外縁に沿って全周方向に形成されて、全体において不揃いな形状となっている。本例では、図４（ｂ）に示すように、幅方向Ｘにおいて、側壁部２０の外周面２０ｂよりも内側に位置している。
【００２３】
そして、図５（ｂ）に示すように、下端部１２は、立設方向Ｚにおいて、溶接部３１よりも高さＨ１の分、立設方向下方Ｚ１に位置している。高さＨ１は例えば、０．２〜５．０ｍｍの範囲内とすることができ、本例では、０．２〜１．０ｍｍの範囲内としている。
【００２４】
図４（ａ）に示すように、底部１０は側壁部２０の下端開口部４１に入り込んで、側壁部２０の内周面２０ａに当接する内周当接部１４を備える。内周当接部１４は、側壁部２０の内周面２０ａにおいて、少なくとも互いに対向する一対の面にそれぞれ当接するように構成されており、本例では内周当接部１４は内周面２０ａの４面すべてに当接している。
【００２５】
金属製箱体１を形成する金属材料の厚さは、特に限定されないが、約０．１ｍｍ〜約２．０ｍｍとすることができる。本例では、図５（ａ）に示すように、底部１０の厚さＴ１は１．５ｍｍであり、側壁部２０の厚さＴ２は１．０ｍｍである。そして、フランジ部１３の厚さＴ３は０．５ｍｍ以上で底部１０の厚さＴ１未満とすることができ、本例では厚さＴ３は０．５ｍｍである。すなわち、フランジ部１３は、底部１０の中央部よりも薄肉に形成されている。そして、フランジ部１３の幅Ｗ、すなわち下端部１２とフランジ部１３との段差部１５の幅方向Ｘの長さＷは、０．５ｍｍ以上で側壁部２０の厚さＴ２未満とすることができ、本例では幅Ｗは０．８ｍｍである。
【００２６】
また、図５（ａ）に示すように、下端部１２とフランジ部１３との立設方向Ｚにおける距離Ｔ４、すなわち、下端部１２とフランジ部１３との段差部１５の深さＴ４は０．５ｍｍ以上で底部１０の厚さＴ１未満とすることができ、本例では厚さＴ３は０．５ｍｍである。そして、内周当接部１４の立設方向Ｚにおけるフランジ部１３からの厚さＴ５は０．５ｍｍ以上で底部１０の厚さＴ１未満とすることができ、本例では厚さＴ３は０．５ｍｍである。
【００２７】
本例の金属製箱体１の作用効果について説明する。
本例の金属製箱体１においては、底部１０とその外周縁１１から立設した側壁部２０との境界部分３０に含まれる溶接部３１は側壁部２０の立設方向下方Ｚ１の表面１０ａに表出しているが、底部１０が溶接部３１よりも立設方向下方Ｚ１に位置する下端部１２を有しているため、立設方向下方Ｚ１から溶接して溶接部３１を形成したとしても、溶接部３１に含まれる不揃いな形状の溶接ビードが底部１０の下端部１２から立設方向下方Ｚ１に突出することがない。そのため、金属製箱体１を載置面に載置すると底部１０の下端部１２が載置面に当接して、溶接部３１の溶接ビードが載置面に当接しない。これにより、溶接作業性がよいとともに、金属製箱体１を安定して載置することができる。
【００２８】
また、本例では、底部１０の外周縁１１は、底部１０の下端部１２よりも立設方向上方Ｚ２に位置するフランジ部１３を有しており、フランジ部１３と側壁部２０とが互いに溶接されて溶接部３１を形成している。これにより、フランジ部１３を溶接する際のガイドとして利用することができ、溶接の作業性が向上する。
【００２９】
また、本例では、フランジ部１３は、底部１０の外周縁１１を底部１０の中央部よりも薄肉に形成されている。これにより、フランジ部１３を底部１０の下端部１２よりも立設方向上方Ｚ２に位置させることが容易となり、フランジ部１３の成形の作業性が向上する。
【００３０】
また、本例では、下端部１２は、側壁部２０の立設方向Ｚにおいて、溶接部３１よりも０．２〜５．０ｍｍの範囲内で立設方向下方Ｚ１に位置している。これにより、金属製箱体１を載置したときに溶接部３１の溶接ビードが載置面に当接しないとともに、金属製箱体１の底部１０が立設方向Ｚに過度に厚くなることを抑制できる。
【００３１】
また、本例では、底部１０は、側壁部２０の内周面２０ａに当接する内周当接部１４を有する。これにより、底部１０を側壁部２０に溶接する際に、底部１０の位置決めが容易となり溶接時の作業性が向上する。
【００３２】
なお、本例では、底部１０が内周当接部１４を有することとしたが、これに替えて、図６（ａ）、図６（ｂ）に示す変形例１のように、底部１０が内周当接部１４を有しない構成であってもよい。
【００３３】
なお、本例では、フランジ部１３が側壁部２０の側壁下端部２１の下端面２１ａに当接することとしたが、これに替えて、図７（ａ）、図７（ｂ）に示す変形性２のように、底部１０の一部が側壁部２０の下端開口部４１内に入り込んでフランジ部１３が側壁部２０の内周面２０ａに当接する構成であってもよい。
【００３４】
さらなる変形例３として、変形例２の構成において、図８（ａ）、図８（ｂ）に示すように、側壁部２０における下端開口部４１近傍の内周面２０ａに突起２４が突出形成されていてもよい。当該変形例３によれば、フランジ部１３を突起２４に当接させることにより、立設方向Ｚにおける底部１０の位置決めを容易に行うことができる。
【００３５】
さらなる変形例４として、図９（ａ）、図９（ｂ）に示すように、フランジ部１３の先端を立設方向下方Ｚ１側に屈曲させた構成であってもよい。当該変形例４では、フランジ部１３の先端の内側に凹部１６が形成されており、フランジ部１３の先端面１３ａを側壁部２０の下端面２１ａと面一にした状態で溶接を行っている。なお、当該変形例４においても、図８（ａ）、図８（ｂ）に示す変形例３と同様に突起２４が突出形成されていてもよい。
【００３６】
以上のごとく、本実施例１及び変形例１〜４によれば、溶接時の作業性がよく、載置面に安定して載置可能な金属製箱体１を提供することができる。
【００３７】
（実施例２）
本例の金属製箱体１では、図１０に示すように、底部１０において中央部１８の厚さＴ１と、フランジ部１３の厚さＴ３が同じ厚さとなっており、ともに１．０ｍｍとなっている。底部１０は金属板をプレス加工して、外周縁１１を立設方向上方Ｚ２側に折り曲げて段差部１５を形成してフランジ部１３を形成している。これにより、フランジ部１３は、立設方向上方Ｚ２に折れ曲がるとともに、底部１０の平面視における外方である幅方向Ｘ及び奥行き方向Ｙに折れ曲がった屈曲部１３１を有する。なお、本例において、実施例１と同様の構成には同一の符号を付して、その説明を省略する。
【００３８】
本例の金属製箱体１によれば、屈曲部１３１を有することにより、フランジ部１３を簡易な構成で底部１０の下端部１２よりも立設方向上方Ｚ２に位置させることができ、フランジ部１３の成形性が向上する。そして、本例においても、実施例１の場合と同等の作用効果を奏する。
【００３９】
なお、図１１（ａ）、図１１（ｂ）に示す変形例５のように、実施例２の構成における底部１０に、側壁部２０の内周面２０ａに当接する内周当接部１４を設けてもよい。当該内周当接部１４は実施例１の場合と同様の構成とすることができる。
【００４０】
また、図１２（ａ）、図１２（ｂ）に示す変形例６のように、実施例２の構成における底部１０の一部が側壁部２０の下端開口部４１内に入り込んでフランジ部１３が側壁部２０の内周面２０ａに当接する構成であってもよい。
【００４１】
また、さらなる変形例７として、変形例６の構成において、図１３（ａ）、図１３（ｂ）に示すように側壁部２０における下端開口部４１近傍の内周面２０ａに突起２４が突出形成されていてもよい。当該変形例７によれば、フランジ部１３を突起２４に当接させることにより、立設方向Ｚにおける底部１０の位置決めを容易に行うことができる。
【００４２】
また、変形例８として、図１４（ａ）、図１４（ｂ）に示すように、実施例２の構成におけるフランジ部１３の先端を立設方向下方Ｚ１側に屈曲させた構成であってもよい。当該変形例６では、フランジ部１３の先端の内側に凹部１６が形成されており、フランジ部１３の先端面１３ａを側壁部２０の下端面２１ａと面一にした状態で溶接を行っている。なお、当該変形例８においても、図１３（ａ）、図１３（ｂ）に示す変形例７と同様に突起２４が突出形成されていてもよい。
【００４３】
また、さらなる変形例９として、図１５（ａ）、図１５（ｂ）に示すように、底部１０を平板状とするとともに、底部１０の下端部１２として、底部１０から立設方向下方Ｚ１に突出する突出部１２１を設けてもよい。本例では、突出部１２１は、底部１０の外周縁１１の内側の位置に外周縁１１に沿って環状に形成されている。突出部１２１の高さは特に限定されず、例えば、０．５〜２．０ｍｍの範囲内とすることができる。そして、底部１０の外周縁１１の端面１１ａが側壁部２０の内周面２０ａに当接した状態で両者が底部１０の下方から立設方向上方Ｚ２に向けて溶接されている。なお、突出部１２１の形状は環状に替えて、底部１０の四隅にそれぞれ設けてもよい。また、当該変形例９においても、図１３（ａ）、図１３（ｂ）に示す変形例７と同様に突起２４が突出形成されていてもよい。
【００４４】
本変形例９の金属製箱体１では、図１５（ａ）、図１５（ｂ）に示すように、底部１０の下端部１２は、立設方向下方Ｚ１に突出してなる突出部１２１からなる。これにより、金属製箱体１を載置面に載置したときに底部１０の下端部１２としての突出部１２１が確実に載置面に当接することとなるため、溶接部３１が載置面に当接することとを確実に防止でき、当該金属製箱体１を載置した際の安定性を一層向上できる。
【００４５】
実施例１の場合と同様に、本実施例２及び変形例５〜９によっても、溶接時の作業性がよく、載置面に安定して載置可能な金属製箱体１を提供することができる。
【００４６】
（実施例３）
また、実施例２では、底部１０と側壁部２０とを別体として用意し、両者を溶接にて接続したが、これに替えて、実施例３では図１６（ａ）に示すように、溶接前の金属製箱体の展開体１ａにおいて、底部１０と側壁部２０とが一つながりの金属板からなり、底部１０の一辺が折り曲げ部３２を介して側壁部２０と繋がっている。そして、図１６（ｂ）に示すように、底部１０は、折り曲げ部３２で折り曲げるとともに、フランジ部１３を側壁部２０の側壁下端部２１に重ねて矢印Ｌで示すようにレーザを照射し、図１６（ｃ）に示すように、底部１０と側壁部２０とを溶接して溶接部３１を形成する。
【００４７】
図１６（ｃ）に示すように、本実施例の金属製箱体１は、底部１０と側壁部２０との境界部分３０は、溶接部３１と折り曲げ部３２とを含む。そして、境界部分３０のうちの溶接部３１は底部１０の下端部１２よりも立設方向上方Ｚ２に位置するため、実施例１、２の場合と同等の作用効果を奏する。
【００４８】
本発明は上記各実施例及び変形例に限定されるものではなく、その要旨を逸脱しない範囲において種々の実施形態に適用することが可能である。
【符号の説明】
【００４９】
１  金属製箱体
１０  底部
１１  外周縁
１２  下端部
１３  フランジ部
１３１  屈曲部
１４  内周当接部
２０  側壁部
３０  境界部分
３１  溶接部
【図１】
2020172295.tif 000003
【図２】
2020172295.tif 000004
【図３】
2020172295.tif 000005
【図４】
2020172295.tif 000006
【図５】
2020172295.tif 000007
【図６】
2020172295.tif 000008
【図７】
2020172295.tif 000009
【図８】
2020172295.tif 000010
【図９】
2020172295.tif 000011
【図１０】
2020172295.tif 000012
【図１１】
2020172295.tif 000013
【図１２】
2020172295.tif 000014
【図１３】
2020172295.tif 000015
【図１４】
2020172295.tif 000016
【図１５】
2020172295.tif 000017
【図１６】
2020172295.tif 000018
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
金属板からなる底部と、該底部の外周縁から立設した金属板からなる側壁部とを有する金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、該フランジ部と上記側壁部とが互いに溶接されて上記溶接部を形成しており、
上記底部を載置面に対向させて上記金属製箱体を上記載置面に載置したとき、上記下端部が上記載置面に当接するように構成されている、金属製箱体。
【請求項２】
上記フランジ部の厚さは、上記底部の中央部の厚さよりも薄くなっている、請求項１に記載の金属製箱体。
【請求項３】
上記フランジ部は、上記立設方向上方に折れ曲がるとともに、上記底部の平面視における外方に折れ曲がった屈曲部を有する、請求項１に記載の金属製箱体。
【請求項４】
上記下端部は、上記側壁部の立設方向において、上記溶接部よりも０．２〜５．０ｍｍの範囲内で立設方向下方に位置している、請求項１〜３のいずれか一項に記載の金属製箱体。
【請求項５】
上記底部の下端部は、上記立設方向下方に突出してなる突出部からなる、請求項１〜４のいずれか一項に記載の金属製箱体。
【請求項６】
上記底部は、上記側壁部の内周面に当接する内周当接部を有する、請求項１〜５のいずれか一項に記載の金属製箱体。
【手続補正２】
【補正対象書類名】明細書
【補正対象項目名】０００６
【補正方法】変更
【補正の内容】
【０００６】
本発明の一態様は、金属板からなる底部と、該底部の外周縁から立設した金属板からなる側壁部とを有する金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、該フランジ部と上記側壁部とが互いに溶接されて上記溶接部を形成しており、
上記底部を載置面に対向させて上記金属製箱体を上記載置面に載置したとき、上記下端部が上記載置面に当接するように構成されている、金属製箱体にある。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
金属板からなる底部と、該底部の外周縁から立設した金属板からなる側壁部とを有し、電池のケースとして用いられる金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、該フランジ部と上記側壁部とが互いに溶接されて上記溶接部を形成しており、
上記底部を載置面に対向させて上記金属製箱体を上記載置面に載置したとき、上記下端部が上記載置面に当接するように構成されており、
上記底部を形成する上記金属板及び上記側壁部を形成する上記金属板の厚さは、０．１ｍｍ〜２．０ｍｍの範囲内であり、
上記フランジ部の厚さは、上記底部の中央部の厚さよりも薄くなっており、
上記フランジ部における上記立設方向下方の面が、上記底部の下端部よりも上記立設方向上方に位置して段差部を形成している、金属製箱体。
【請求項２】
金属板からなる底部と、該底部の外周縁から立設した金属板からなる側壁部とを有し、電池のケースとして用いられる金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、
上記底部を載置面に対向させて上記金属製箱体を上記載置面に載置したとき、上記下端部が上記載置面に当接するように構成されており、
上記底部を形成する上記金属板及び上記側壁部を形成する上記金属板の厚さは、０．１ｍｍ〜２．０ｍｍの範囲内であり、
上記フランジ部は、上記立設方向上方に凹んだ凹状をなしており、
上記フランジ部の先端は、上記側壁部の内周面に沿って上記立設方向下方に向けて延設されており、上記側壁部の下端部に溶接されて上記溶接部を形成している、金属製箱体。
【請求項３】
上記下端部は、上記側壁部の立設方向において、上記溶接部よりも０．２〜５．０ｍｍの範囲内で立設方向下方に位置している、請求項１又は２に記載の金属製箱体。
【請求項４】
上記底部の下端部は、上記立設方向下方に突出してなる突出部からなる、請求項１〜３のいずれか一項に記載の金属製箱体。
【請求項５】
上記底部は、上記側壁部の内周面に当接する内周当接部を有する、請求項１〜４のいずれか一項に記載の金属製箱体。
【手続補正２】
【補正対象書類名】明細書
【補正対象項目名】０００６
【補正方法】変更
【補正の内容】
【０００６】
本発明の一態様は、金属板からなる底部と、該底部の外周縁から立設した金属板からなる側壁部とを有し、電池のケースとして用いられる金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、該フランジ部と上記側壁部とが互いに溶接されて上記溶接部を形成しており、
上記底部を載置面に対向させて上記金属製箱体を上記載置面に載置したとき、上記下端部が上記載置面に当接するように構成されており、
上記底部を形成する上記金属板及び上記側壁部を形成する上記金属板の厚さは、０．１ｍｍ〜２．０ｍｍの範囲内であり、
上記フランジ部の厚さは、上記底部の中央部の厚さよりも薄くなっており、
上記フランジ部における上記立設方向下方の面が、上記底部の下端部よりも上記立設方向上方に位置して段差部を形成している、金属製箱体にある。
また、本発明の他の態様は、金属板からなる底部と、該底部の外周縁から立設した金属板からなる側壁部とを有し、電池のケースとして用いられる金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、
上記底部を載置面に対向させて上記金属製箱体を上記載置面に載置したとき、上記下端部が上記載置面に当接するように構成されており、
上記底部を形成する上記金属板及び上記側壁部を形成する上記金属板の厚さは、０．１ｍｍ〜２．０ｍｍの範囲内であり、
上記フランジ部は、上記立設方向上方に凹んだ凹状をなしており、
上記フランジ部の先端は、上記側壁部の内周面に沿って上記立設方向下方に向けて延設されており、上記側壁部の下端部に溶接されて上記溶接部を形成している、金属製箱体にある。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
金属板からなる底部と、該底部の外周縁から立設した金属板からなる側壁部とを有し、電池のケースとして用いられる金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、該フランジ部と上記側壁部とが互いに溶接されて上記溶接部を形成しており、
上記底部を載置面に対向させて上記金属製箱体を上記載置面に載置したとき、上記下端部が上記載置面に当接するように構成されており、
上記底部を形成する上記金属板及び上記側壁部を形成する上記金属板の厚さは、０．１ｍｍ〜２．０ｍｍの範囲内であり、
上記フランジ部の厚さは、上記底部の中央部の厚さよりも薄くなっており、
上記フランジ部における上記立設方向下方の面が、上記底部の下端部よりも上記立設方向上方に位置して段差部を形成しており、
上記立設方向下方の面における上記段差部の幅が上記側壁部の厚さ未満である、金属製箱体。
【請求項２】
上記段差部と上記底部の下端部とをつなぐ段差面は、上記立設方向に平行な断面において、上記側壁部の内側面を上記立設方向下方に延長した仮想線上に位置している、請求項１に記載の金属製箱体。
【請求項３】
上記下端部は、上記側壁部の立設方向において、上記溶接部よりも０．２〜５．０ｍｍの範囲内で立設方向下方に位置している、請求項１又は２に記載の金属製箱体。
【請求項４】
上記底部の下端部は、上記立設方向下方に突出してなる突出部からなる、請求項１〜３のいずれか一項に記載の金属製箱体。
【請求項５】
上記底部は、上記側壁部の内周面に当接する内周当接部を有する、請求項１〜４のいずれか一項に記載の金属製箱体。
【手続補正２】
【補正対象書類名】明細書
【補正対象項目名】０００６
【補正方法】変更
【補正の内容】
【０００６】
本発明の一態様は、金属板からなる底部と、該底部の外周縁から立設した金属板からなる側壁部とを有し、電池のケースとして用いられる金属製箱体であって、
上記底部と上記側壁部との境界部分は、両者を溶接してなる溶接部を含み、
該溶接部は、上記金属製箱体における上記側壁部の立設方向下方の表面に表出しており、
上記底部は、上記溶接部よりも上記立設方向下方に位置する下端部を有しており、
上記底部の外周縁は、上記底部の下端部よりも上記側壁部の立設方向上方に位置するフランジ部を有しており、該フランジ部と上記側壁部とが互いに溶接されて上記溶接部を形成しており、
上記底部を載置面に対向させて上記金属製箱体を上記載置面に載置したとき、上記下端部が上記載置面に当接するように構成されており、
上記底部を形成する上記金属板及び上記側壁部を形成する上記金属板の厚さは、０．１ｍｍ〜２．０ｍｍの範囲内であり、
上記フランジ部の厚さは、上記底部の中央部の厚さよりも薄くなっており、
上記フランジ部における上記立設方向下方の面が、上記底部の下端部よりも上記立設方向上方に位置して段差部を形成しており、
上記立設方向下方の面における上記段差部の幅が上記側壁部の厚さ未満である、金属製箱体にある。